(57)【要約】【課題】食品の情報の手入力を回避し、冷蔵庫内に無線タグを貼り付けた食品を入れるだけで庫内情報を作成することができる冷蔵庫を提供する。【解決手段】冷蔵庫１０の扉が開かれその後に閉じられた後に、無線タグ検出装置２６が庫内にある全ての食品の無線タグから無線タグ情報を読み取ることにより、必ず庫内に収納された食品の情報を管理することができる。【選択図】      図１
2006064320.tif 000002
【特許請求の範囲】
【請求項１】
貯蔵室と、
前記貯蔵室を開閉する扉と、
前記扉の開閉を検知する扉開閉検出手段と、
食品に設けられた無線タグと通信するためのアンテナと、
前記アンテナから前記無線タグに記憶されている無線タグ情報を検出するタグ検出手段とを有する冷蔵庫において、
前記タグ検出手段は、前記扉開閉検出手段が前記扉の開状態を検出した後、前記扉の閉状態を検出したときに前記アンテナの検知範囲内にある前記無線タグの前記無線タグ情報を全て検出する
ことを特徴とする冷蔵庫。
【請求項２】
外部機器に無線タグ情報を送信する通信手段を有し、
前記タグ検出手段は、前記検出した無線タグ情報を前記通信手段によって前記外部機器に送信する
ことを特徴とする請求項１記載の冷蔵庫。
【請求項３】
前記タグ検出手段は、
前記検出した無線タグ情報を少なくとも一回分を記憶している
ことを特徴とする請求項２記載の冷蔵庫。
【請求項４】
前記タグ検出手段は、
書込み情報を前記食品の無線タグに送信して書き込む
ことを特徴とする請求項１記載の冷蔵庫。
【請求項５】
前記貯蔵室内部に画像撮影手段が設けられ、
前記扉開閉検出手段が前記扉の開状態を検出した後、前記扉の閉状態を検出したときに、前記画像撮影手段が貯蔵室内部を撮影して、撮影した画像を前記通信手段を介して前記外部機器に送信する
ことを特徴とする請求項１記載の冷蔵庫。
【発明の詳細な説明】
【技術分野】
【０００１】
本発明は、無線タグが設けられた食品を収納し管理することができる冷蔵庫に関するものである。
【背景技術】
【０００２】
最近、無線タグの技術が進歩し、この無線タグを張り付けた食品を収納し管理することができる家庭用の冷蔵庫が提案されている（例えば、特許文献１参照）。
【０００３】
このような冷蔵庫は、食品に貼り付けた無線タグからの電波を送受信するために複数のアンテナと、これらアンテナを用いて無線タグ情報を送受信するための送受信部と、この送受信部を制御するための主制御部が設けられている。
【特許文献１】特開２００２−８１８４８公報
【発明の開示】
【発明が解決しようとする課題】
【０００４】
上記のような冷蔵庫において行われるサービスの一つに食品管理サービスがある。この食品管理サービスは、冷蔵庫内の食品を予めコントローラなどから入力し、コントローラから入力された情報を情報サーバーから各ユーザーの携帯電話へ送信し、賞味期限が近づくと報知するサービスである。
【０００５】
しかし、このようなサービスを受けるためには各ユーザーが冷蔵庫内に入れた食品について、食品名、賞味期限などを入力する必要があるため非常に面倒である。
【０００６】
また、上記のような無線タグを使用した冷蔵庫の場合には、アンテナの検知範囲にユーザーが無線タグを貼り付けた商品を通すことによって庫内情報を作成するものが多く、検知した食品が実際に庫内に存在するか否かはユーザーの判断に任せる場合が多い。
【０００７】
そこで、本発明は上記問題点に鑑み、食品の情報の手入力を回避し、冷蔵庫内に無線タグを貼り付けた食品を入れるだけで庫内情報を作成することができる冷蔵庫を提供する。
【課題を解決するための手段】
【０００８】
請求項１に係る発明は、貯蔵室と、前記貯蔵室を開閉する扉と、前記扉の開閉を検知する扉開閉検出手段と、食品に設けられた無線タグと通信するためのアンテナと、前記アンテナから前記無線タグに記憶されている無線タグ情報を検出するタグ検出手段とを有する冷蔵庫において、前記タグ検出手段は、前記扉開閉検出手段が前記扉の開状態を検出した後、前記扉の閉状態を検出したときに前記アンテナの検知範囲内にある前記無線タグの前記無線タグ情報を全て検出することを特徴とする冷蔵庫である。
【０００９】
請求項２に係る発明は、外部機器に無線タグ情報を送信する通信手段を有し、前記タグ検出手段は、前記検出した無線タグ情報を前記通信手段によって前記外部機器に送信することを特徴とする請求項１記載の冷蔵庫である。
【００１０】
請求項３に係る発明は、前記タグ検出手段は、前記検出した無線タグ情報を少なくとも一回分を記憶していることを特徴とする請求項２記載の冷蔵庫である。
【００１１】
請求項４に係る発明は、前記タグ検出手段は、書込み情報を前記食品の無線タグに送信して書き込むことを特徴とする請求項１記載の冷蔵庫である。
【００１２】
請求項５に係る発明は、前記貯蔵室内部に画像撮影手段が設けられ、前記扉開閉検出手段が前記扉の開状態を検出した後、前記扉の閉状態を検出したときに、前記画像撮影手段が貯蔵室内部を撮影して、撮影した画像を前記通信手段を介して前記外部機器に送信することを特徴とする請求項１記載の冷蔵庫である。
【発明の効果】
【００１３】
請求項１に係る発明の冷蔵庫においては、タグ検出手段が、扉が開状態になり、その後に扉の閉状態を検出したときに食品に貼り付けた無線タグ情報を検出するため、必ず冷蔵庫内に収納された食品の無線タグ情報を読み込むことになり、確実に庫内にある食品を管理することができる。また、無線タグ情報を読み込むことにより、従来手入力で行っていた食品名や賞味期限を自動的に入力することができる。さらに、扉が再び開状態になるまで無線タグ情報を再検出する必要がないため、システムが軽くなり、トラフィックが軽減されるとともに省エネルギーにもなる。
【００１４】
請求項２に係る発明の冷蔵庫であると、外部機器に検出した無線タグ情報を送信するため、外部機器において常にリアルタイムに冷蔵庫の在庫状況を把握することができる。
【００１５】
請求項３に係る発明の冷蔵庫であると、少なくとも一回分の無線タグ情報を記憶しているため、突然の停電や電波障害などで外部機器への送信に失敗した場合でも、前記一回以上の履歴が記憶されているためリカバリーすることができる。
【００１６】
請求項４に係る発明の冷蔵庫であると、書込み情報を食品の無線タグに送信して書き込むことができるため、ユーザー独自の食品管理が可能となる。
【００１７】
請求項５に係る発明の冷蔵庫であると、扉が開状態になり、その後に閉状態になった状態での貯蔵室内部の画像を外部機器において閲覧することができるため、前記の無線タグ情報に含まれる情報とともにより詳しい食品管理が可能となる。
【発明を実施するための最良の形態】
【００１８】
（第１の実施形態）
以下、本発明の第１の実施例の冷蔵庫１０について図１〜図５に基づいて説明する。
【００１９】
本実施形態の冷蔵庫１０は、食品に貼り付けた無線タグ２４に記憶されている無線タグ情報を読み取り管理することができる。
【００２０】
（１）冷蔵庫１０の構成
冷蔵庫１０の構成について、図１及び図２に基づいて説明する。
【００２１】
図１に示すように、冷蔵庫１０のキャビネットには、上段から冷蔵室１４、野菜室１６、製氷室１８、冷凍室２０が配され、製氷室１８の右側には庫内温度を切り替えることができる切替室２２が設けられている。このキャビネット１２の天井面には、食品に貼り付けられた無線タグ２４からの無線タグ情報を送受信するための制御部であるタグ検出装置２６が設けられ、その右側には、このタグ検出装置２６から読み取った無線タグ情報を送信する無線アダプター２８が設けられている。無線アダプター２８から送信された無線タグ情報は外部機器の一つであるホームサーバー３０に送られる。このホームサーバー３０はインターネットを介して外部にある情報サーバー３２に接続されている。情報サーバー３２には、ユーザーが有する携帯電話３４からアクセスが可能となっている。
【００２２】
図２に示すように、冷蔵庫１０のキャビネットにおける冷蔵室１４と野菜室１６を区画する区画壁３６の前面に無線タグ情報を送受信するためのアンテナ３８が設けられている。このアンテナ３８の検知範囲は、上方は冷蔵室１４の庫内を全てカバーし、下方は野菜室１６、製氷室１８、冷凍室２０及び切替室２２の庫内を全てカバーしている。
【００２３】
（２）冷蔵庫１０の電気的構成
図３に基づいて、冷蔵庫１０の電気的な構成について説明する。
【００２４】
冷蔵庫１０の制御装置４０は、冷蔵庫１０の庫内温度の管理を行うために圧縮機などを駆動するための制御を行う部分であり、マイクロコンピュータより構成されている。また、この制御装置４０には、上記で説明したタグ検出装置２６と無線アダプター２８が接続されている。タグ検出装置２６には、前記したアンテナ３８が接続されている。
【００２５】
制御装置４０には、冷蔵室１４、野菜室１６、製氷室１８、冷凍室２０、切替室２２の各扉の開閉を検知するためのドアスイッチ４２、４４、４６、４８、５０が設けられている。これら各ドアスイッチ４２〜５０の扉開閉信号に基づいて制御装置４０は、どの貯蔵室の扉が開閉されているかを検知することができる。
【００２６】
（３）無線タグ情報の読み取り動作の内容
次に、上記構成の冷蔵庫１０において、食品に貼り付けた無線タグ２４から無線タグ情報を読み取るときの動作状態について、図４のフローチャートに基づいて説明する。このフローチャートにおいて、左側の縦列が冷蔵庫１０の状態を示し、中央の縦列がタグ検出装置２６の状態を示し、右側の縦列が制御装置４０の状態を示している。
【００２７】
まず、通常の状態では全ての扉が閉状態であり、制御装置４０は、通常の動作で各貯蔵室の庫内温度を管理している。
【００２８】
次に、例えば冷蔵室１４の扉が開かれ、ドアスイッチ４２がそれを検知し扉開信号を制御装置４０に送信する。
【００２９】
ユーザーが、冷蔵室１４内部に無線タグ２４を貼り付けた食品を収納し、冷蔵室１４の扉を閉じると、ドアスイッチ４２から扉閉信号が制御装置４０に送信される。
【００３０】
制御装置４０では扉開信号に続いて扉閉信号が入力されると、タグ検出装置２６に対し、無線タグ情報を検出するように命令する。
【００３１】
タグ検出装置２６では、無線タグ情報の検出を開始する。ところが、この状態でユーザーが再び何らかの理由で冷蔵室１４の扉を開けドアスイッチ４２から扉開信号が制御装置４０に送信されると、制御装置４０はタグ検出装置２６に対し検出を停止する停止命令を出力する。これによってタグ検出装置２６は無線タグ情報の検出を停止する。
【００３２】
ユーザーが再び冷蔵室１４の扉を閉じると、ドアスイッチ４２は扉閉信号を制御装置４０に送信し、制御装置４０では、それに対応してタグ検出装置２６に対し検出開始命令を再び出す。
【００３３】
タグ検出装置２６では開始命令が届いたため、無線タグ情報を再び検出する動作を行う。この場合には、アンテナ３８から送信波を出力し、無線タグ２４はその送信波を利用して無線タグ２４に記憶されている無線タグ情報（例えば、食品名、賞味期限など）を無線タグ検出装置２６に送信する。そして、タグ検出装置２６では、検知範囲内の全ての無線タグ情報を検出するようにする。すなわち、無線タグ検出装置２６では、ユーザーが扉を開いて入れた食品だけでなく、冷蔵室１４、野菜室１６、製氷室１８、冷凍室２０及び切替室２２に収納されている全ての食品の無線タグから無線タグ情報を検出する。
【００３４】
検出が終了するとタグ検出装置２６は制御装置４０に対し完了通知と全ての食品の無線タグ情報を送信する。
【００３５】
制御装置４０では前回記憶している全ての食品の無線タグ情報を、タグ検出装置２６から入力した全ての食品の無線タグ情報に更新する。すなわち、制御装置４０では、少なくとも一回分の無線タグ情報を記憶している。そして、その記憶した無線タグ情報を無線アダプター２８を通じてホームサーバー３０に送信する。制御装置４０は無線タグ情報を送信すると通常の動作に復帰する。
【００３６】
上記構成の冷蔵庫１０であると、扉が閉状態になった後に無線タグ情報を検出するため、冷蔵庫内に必ず存在する食品の無線タグ情報のみを受信することができ、誤動作を防止することができる。また、ユーザーは収納した食品の情報を入力する必要がなく、読み取った無線タグ情報から食品名や賞味期限を入力することができるため、食品管理サービスを容易に利用することができる。
【００３７】
また、扉が閉じられた後は庫内における食品の移動がないため、改めて扉が開閉されるまで無線タグ情報の再検出をする必要がなく、システムが軽くなり、トラフィックが軽減されるとともに省エネルギーとなる。
【００３８】
検出した無線タグ情報はすぐに外部機器であるホームサーバー３０に送信されるため、ホームサーバー３０においては常にリアルタイムに冷蔵庫１０の在庫状況を把握することができる。また、制御装置４０におけるメモリの容量を小さくすることができる。さらに、制御装置４０では少なくとも一回分の履歴の無線タグ情報を記憶しているため、突然の停電や電波障害などでホームサーバー３０への送信に失敗した場合でも、すぐにリカバリーすることができる。
【００３９】
（第２の実施形態）
本実施形態と第１の実施形態の異なる点は、第１の実施形態の機能に加えて、ユーザーが食品の無線タグ２４に必要な情報を書き込むことができる構成を有する点にある。
【００４０】
図５に示すように、無線タグ２４には固定領域とユーザー領域があり、ユーザー領域にはユーザー毎にデータを書き込むことが可能になっている。そのため、ホームサーバー３０を用いて、ユーザーが必要な書き込み情報をタグ検出装置２６を通じて書き込むことを指定することによって、無線タグ２４のユーザー領域にユーザーが必要とする情報を書き込むことができる。これにより、各家庭内での区別をつけたり、ユーザー独自の食品管理が可能となる。
【００４１】
（第３の実施形態）
本実施形態と第１の実施形態の異なる点は、第１の実施形態の機能に加えて、図６に示すように冷蔵室１４内部にＣＣＤカメラなどのカメラ部５２を取り付けた点にある。そして、無線タグ情報の読み取りと同様に、扉が開閉された後に、扉が閉じた状態でカメラ部５２が冷蔵室１４の庫内を撮影し、その撮影した画像を無線タグ情報とともに外部機器であるホームサーバー３０及び情報サーバー３２に送信する。これにより、ユーザーが外出先で冷蔵室１４の庫内を確認して、ペットボトルなどの本数や残量を視覚的に確認することができる。そのため、より詳細な食品管理が可能となる。
【００４２】
なお、カメラ部５２が庫内を撮影するときは、冷蔵室１４の庫内灯を点灯させる。
【００４３】
また、１台のカメラ部５２では冷蔵室１４の全てを撮影することができないときは、その死角になる部分を第２のカメラ部５２で撮影し、２枚の画像を送信してもよい。
【産業上の利用可能性】
【００４４】
本発明は、家庭用の冷蔵庫に好適である。
【図面の簡単な説明】
【００４５】
【図１】本発明の第１の実施形態を示す冷蔵庫とホームサーバーと情報サーバーと携帯電話の説明図である。
【図２】アンテナの取り付け状態を示す冷蔵庫の斜視図である。
【図３】冷蔵庫のブロック図である。
【図４】食品を収納するときの無線タグ情報を読み取るフローチャートである。
【図５】無線タグ内のメモリの状態を示す図である。
【図６】第３の実施形態の冷蔵庫の斜視図である。
【符号の説明】
【００４６】
１０  冷蔵庫
１２  キャビネット
１４  冷蔵室
２４  無線タグ
２６  タグ検出装置
２８  無線アダプター
３０  ホームサーバー
３２  情報サーバー
３４  携帯電話
３６  区画壁
３８  アンテナ
４０  制御装置
４２〜５０  ドアスイッチ
５２  カメラ部
【図１】
2006064320.tif 000003
【図２】
2006064320.tif 000004
【図３】
2006064320.tif 000005
【図４】
2006064320.tif 000006
【図５】
2006064320.tif 000007
【図６】
2006064320.tif 000008